【事件の表示】
　特願２００２−２５９９７４「メモリカードコントローラ」拒絶査定不服審判事件〔平成１６年　４月　２日出願公開、特開２００４−１０２４０５〕について、次のとおり審決する。
【結　論】
　本件審判の請求は、成り立たない。
【理　由】
第１　手続の経緯
　本願は、平成１４年９月５日に出願されたものであって、平成１９年１１月３０日付けで拒絶査定がなされ、これに対して平成２０年１月４日に拒絶査定不服審判が請求されるとともに同年１月３１日付けで手続補正がなされ、当審により平成２２年５月２６日付けで平成２０年１月３１日付け手続補正を却下し、拒絶理由を通知したところ、これに対して同年８月２日付けで手続補正がされたものである。
　
第２　平成２２年８月２日付け手続補正についての補正却下の決定
［補正却下の決定の結論］
　平成２２年８月２日付け手続補正を却下する。
　
［理由］
１．本件補正の内容
　平成２２年８月２日付け手続補正（以下、「本件補正」という。）は、少なくとも特許請求の範囲の請求項１（以下、「本願補正発明」という。）を以下のとおり補正するものである。
　
【請求項１】
　２次側にて、ＰＣカード以外のカードを接続し使用可能とするために、そのインタフェースロジック部と、そのカード情報部とを内蔵し、
　上記カード情報部に格納する初期データを、
外部からのリセット時に
　ＰＣカード以外のカード、若しくはそのカードが挿入されたアダプタカードがカードスロットに接続された場合に、外部のプロセッサに対しＰＣカードが接続されたと見なさしめるために、１６ビットＰＣカードが接続されたという事象を示すレジスタ・ビットがセットされ、
　
上記メモリ部は、上記ＰＣカード以外のカードとも上記アダプタカードとも異なるものであり、
上記メモリ部から上記のカード情報部への初期データのインプリメントが完了してから、
　
２．本件補正について
　本件補正は、平成２２年５月２６日付けの最後の拒絶理由通知に対してなされたものであって、本件補正前の平成１９年１１月１２日付け手続補正の請求項１に係る発明の、「外部に設定されたメモリ部から」を「外部からのリセット時に外部に設定されたメモリ部から」と限定し、「メモリ部」に関して、「上記メモリ部は、上記ＰＣカード以外のカードとも上記アダプタカードとも異なるものであり、」と限定し、「上記外部のプロセッサが、１６ビットＰＣカードが接続されたという事象を示すレジスタ・ビットがセットされたことを、検知したならば、接続されたカードの情報として、上記のカード情報部に記録されるデータを、上記の外部のプロセッサに読み出させる」を、「上記外部のプロセッサが、１６ビットＰＣカードが接続されたという事象を示すレジスタ・ビットがセットされたことを、検知したならば、上記メモリ部から上記のカード情報部への初期データのインプリメントが完了してから、接続されたカードの情報として、上記のカード情報部に記録されるデータを、上記の外部のプロセッサに読み出させる」と限定するものであって、特許法第１７条の２第４項の特許請求の範囲の減縮を目的とするものに該当する。
　そこで、本願補正発明が特許出願の際に独立して特許を受けることができたものであるか（特許法１７条の２第５項において準用する同法第１２６条第５項の規定に適合するか）について以下に検討する。
　
３．独立特許要件についての検討
（１）引用刊行物
（１−１）当審が拒絶の理由に引用した特開２００２−７３５２２号公報（平成１４年３月１２日出願公開。以下、「引用例１」という。）には、図面と共に次の記載がある。
　
ａ．「【特許請求の範囲】
【請求項１】  
ＰＣカード用インターフェース部が設けられ、該ＰＣカード用インターフェース部を介して情報機器とメモリカードとの間でのデータ転送を中継するようになっているメモリカードブリッジにおいて
上記ＰＣカード用インターフェース部よりメモリカード側のデータ転送経路に、ＰＣカードに対応する仕様のデータをＰＣカード以外のメモリカードに対応する仕様のデータに変換する変換ロジック回路が設けられていることを特徴とするメモリカードブリッジ。
【請求項２】  上記変換ロジック回路のデータ変換機能の使用又は不使用を選択するセレクタ回路が設けられていることを特徴とする請求項１に記載のメモリカードブリッジ。
【請求項３】  上記変換ロジック回路が複数設けられ、各変換ロジック回路が互いに異なる種類の、ＰＣカード以外のメモリカードに対応する仕様となっていることを特徴とする請求項２に記載のメモリカードブリッジ。
【請求項４】  ＰＣカード用インターフェース部が設けられ、該ＰＣカード用インターフェース部を介して情報機器とメモリカードとの間でのデータ転送を中継するようになっているメモリカードブリッジにおいて、
上記ＰＣカード用インターフェース部に加えてもう１つのＰＣカード用インターフェース部が設けられるとともに、該もう１つのＰＣカード用インターフェース部よりメモリカード側のデータ転送経路に、ＰＣカードに対応する仕様のデータをＰＣカード以外のメモリカードに対応する仕様のデータに変換し、又はＰＣカード以外のメモリカードに対応する仕様のデータをＰＣカードに対応する仕様のデータに変換する変換ロジック回路が設けられていることを特徴とするメモリカードブリッジ。
【請求項５】  複数のＰＣカード用インターフェース部が設けられ、該ＰＣカード用インターフェース部を介して情報機器とメモリカードとの間でのデータ転送を中継するようになっているメモリカードブリッジにおいて、
上記ＰＣカード用インターフェース部のうちの少なくとも１つが、ＰＣカード以外のメモリカード専用のメモリカードインターフェース部で置き替えられていることを特徴とするメモリカードブリッジ。
【請求項６】  ３つ以上のＰＣカード用インターフェース部が設けられ、該ＰＣカード用インターフェース部を介して情報機器とメモリカードとの間でのデータ転送を中継するようになっているメモリカードブリッジにおいて、
上記ＰＣカード用インターフェース部のうちの少なくとも２つが、それぞれ、互いに異なる種類の、ＰＣカード以外のメモリカード専用のメモリカードインターフェース部で置き替えられていることを特徴とするメモリカードブリッジ。
【請求項７】  ＰＣカード以外の上記メモリカードが、ＰＣカードより小さい寸法の小型メモリカードであることを特徴とする請求項１〜６のいずれか１つに記載のメモリカードブリッジ。
【請求項８】  情報機器本体側で情報機器に接続され、メモリカード側で上記ＰＣカード用インターフェース部又はメモリカードインターフェース部に接続された本体側インターフェース部が設けられていることを特徴とする請求項１〜７のいずれか１つに記載のメモリカードブリッジ。
【請求項９】  上記本体側インターフェース部が、ローカルバスを介して情報機器に接続されていることを特徴とする請求項８に記載のメモリカードブリッジ。
【請求項１０】  上記変換ロジック回路、上記セレクタ回路又は上記メモリカードインターフェース部が、メモリカード側で、ＰＣカード以外のメモリカードを装着することができるメモリカードスロットに接続されていることを特徴とする請求項１〜７のいずれか１つに記載のメモリカードブリッジ。
【請求項１１】  上記セレクタ回路に対して、ＰＣカードを装着することができるメモリカードスロットと、ＰＣカード以外のメモリカードを装着することができるメモリカードスロットとを実装することができるようになっていることを特徴とする請求項２又は３に記載のメモリカードブリッジ。
【請求項１２】  上記情報機器がパーソナルコンピュータであることを特徴とする請求項１〜１１のいずれか１つに記載のメモリカードブリッジ。」（第２頁特許請求の範囲）
　なお、下線は当審において附した。以下、同様。
　
ｂ．「【０００８】
【課題を解決するための手段】上記課題を解決するためになされた本発明の第１の態様にかかるメモリカードブリッジは、（ｉ）ＰＣカード用インターフェース部が設けられ、該ＰＣカード用インターフェース部を介して情報機器とメモリカードとの間でのデータ転送を中継するようになっているメモリカードブリッジにおいて、（ii）ＰＣカード用インターフェース部よりメモリカード側のデータ転送経路に、ＰＣカードに対応する仕様のデータをＰＣカード以外のメモリカードに対応する仕様のデータに変換する変換ロジック回路が設けられていることを特徴とするものである。
【００１０】本発明の第３の態様にかかるメモリカードブリッジは、本発明の第２の態様にかかるメモリカードブリッジにおいて、変換ロジック回路が複数設けられ、各変換ロジック回路が互いに異なる種類の、ＰＣカード以外のメモリカードに対応する仕様となっていることを特徴とするものである
　
ｃ．「【００１７】
【発明の実施の形態】以下、本発明の実施の形態を具体的に説明する。
（実施の形態１）本発明は、近年の小型メモリカードの普及を背景としてなされたものであるが、小型メモリカードの普及に拍車をかけたのはデジタルスチルカメラの普及である。すなわち、デジタルスチルカメラには、画像データを記憶する記録媒体が必要・不可欠であるが、この記録媒体として小型メモリカード（ポピュラーなものとしてはスマートメディア）が使用されたことが、このような小型メモリカードの普及の要因である。そして、デジタルスチルカメラが普及すると、次には小型メモリカード内の画像データをパーソナルコンピュータ等に取り込んでアルバムを作成するなどといった画像データの処理ないしは加工が必要となる。そこで、従来は、前記のとおり、アダプタカードを用いて小型メモリカードをパーソナルコンピュータ等に接続し、小型メモリカード内の画像データをパーソナルコンピュータ等に取り込むといった作業が行われていた。
【００１８】また、最近の小型メモリカードは、容量が大きくなり、デジタルスチルカメラの場合のような静止画の画像データだけでなく、動画の画像データや音響データなども記録することが可能となっている。このため、小型メモリカードは、今後その利用分野が飛躍的に広がり、ますます注目される情報記録媒体となるものと予想される。本発明にかかるメモリカードブリッジは、このような状況に鑑み開発されたものである。
【００１９】本発明にかかるメモリカードブリッジは、種々のデジタル式の情報機器に幅広く応用することができるものであるが、この実施の形態１（実施の形態２〜６でも同様）では、情報機器がパーソナルコンピュータである場合を例にとって説明する。ただし、パーソナルコンピュータの全体的なシステム構成は、ＣＰＵやチップセット（ローカルバスの制御等を行う）などを備えた一般的なものであるので、その詳しい説明は省略する。したがって、以下では、チップセットに接続されるローカルバス（ここでは、ＰＣＩバス）以下の階層、すなわち主としてローカルバスに接続されるメモリカードブリッジ（ＰＣカードコントローラ）についてのみ説明を行う。このメモリカードブリッジに対して小型メモリカードをどのように接続するかが、実施の形態１（後記の実施の形態２〜６でも同様）の要点である。
なお、実施の形態１では、メモリカードブリッジとして、カード側が２スロツトのＰＣＩカードバスブリッジ（以下、「ＰＣＩＣ」という。）を用いる場合を例にとって説明する。【００２０】図１に示すように、実施の形態１にかかるＰＣＩＣ１０ａには、ＰＣＩバスインターフェースブロツク１１と、それぞれＰＣＭＣＩＡ規格に準拠した第１及び第２の２つのカードインターフェースブロック１２、１３と、後で説明する変換ロジック１４とが設けられている。さらに、ＰＣＩＣ１０ａには、小型メモリカードスロット１５とＰＣカードスロット１６とが設けられている
【００２１】ここで、小型メモリカードスロット１５は、小型メモリカード１７を装着することができる、ＰＣカードスロット１６よりもサイズが小さいスロットである。物理的にみれば、小型メモリカードスロット１５は、６８ピンのＰＣＭＣＩＡ準拠のコネクタであり、装着されるべき小型メモリカード１７専用の小型のコネクタである。したがって、ＰＣＩＣ１０ａがコンパクトな構成となり、省スペース化を実現することができる。
【００２２】他方、ＰＣカードスロット１６は、ＰＣカード（図示せず）を装着することができる普通のサイズのスロットである。なお、以下では便宜上、情報の流れ方向（図１中では、おおむね左右方向）にみてパーソナルコンピュータ本体側（図１中では、おおむね左側）を「本体側」といい、小型メモリカード側ないしはＰＣカード側（図１中では、おおむね右側）を「カード側」ということにする。」
　
ｄ．「
【００２３】ＰＣＩインターフェースブロック１１は、本体側でパーソナルコンピュータのＰＣＩバス１８（ローカルバス）に接続され、カード側で両カードインターフェースブロック１２、１３に接続されている。第１カードインターフェースブロック１２はカード側で変換ロジック回路１４（以下、単に「変換ロジック１４」という。）に接続され、変換ロジック１４はカード側で小型メモリカードスロット１５に接続されている。また、第２カードインターフェースブロック１３は、カード側でＰＣカードスロット１６に接続されている。【００２４】変換ロジック１４は、ＰＣＭＣＩＡ規格に準拠した第１カードインターフェースブロック１２を、所定の小型メモリカード１７に適合するインターフェースに変換する機能をもつ。この変換ロジック１４中には、該小型メモリカードのカード情報を示す領域（ＣＩＳと呼ばれる）が含まれることもある。変換ロジック１４は、装着されるべき小型メモリカード１７の種類に応じた変換特性をもつ。
【００２５】この変換ロジック１４は、基本的には、例えば図７に示す従来のアダプタカード１０６内に設けられる変換ロジック１０７と同様の仕様のものである。換言すれば、従来のアダプタカード１０６の変換ロジック１０７が、ＰＣＩＣ１０ａの中に組み入れられていることになる。
　
ｅ．「【００２６】以下、ＰＣＩＣ１０ａにおけるデータ処理の流れを説明する。
小型メモリカード１７が小型メモリカードスロット１５に装着（挿入）されると、パーソナルコンピュータ（システム）は、小型メモリカード１７が装着されたことを検出し、小型メモリカード１７のカード情報を読み出す（リードする）。パーソナルコンピュータは、このカード情報により、どのような種類の小型メモリカード１７が装着されたかを認識する。このように、変換ロジック１４と第１カードインターフェースブロック１２とを介して小型メモリーカード１７を認識した場合、小型メモリカード１７はＡＴＡ仕様に準拠したハードディスク（以下、「ＨＤＤ」という。）として認識されるのが一般的である。
【００２８】例えば、小型メモリカード１７に記憶されているデータが、デジタルスチルカメラで撮影された画像データである場合、この画像データをパーソナルコンピュータ本体に取り込む操作を行うことが多いが、この場合におけるパーソナルコンピュータの操作及びデータの流れは、およそ次のとおりである。
【００２９】小型メモリカード１７（Ｅドライブ）に記憶されている画像データをパーソナルコンピュータ本体のＨＤＤ（Ｃドライブ）にコピーする場合、パーソナルコンピュータの操作としては、ＥドライブのデータファイルをドラッグしてＣドライブに移動させるといったごく普通の操作をするだけでよい。この場合のデータの流れは、およそ次のとおりである。すなわち、パーソナルコンピュータは、ＰＣＩＣ１０ａに対して、小型メモリカード１７内のデータを読み出すコマンドを発行する。そして、小型メモリカード１７内のデータは、ＰＣＩバスインターフェースブロツク１１と、第１カードインターフェースブロック１２と、変換ロジック１４とを介して読み出され、このデータはパーソナルコンピュータ本体のＨＤＤに書き込まれる（ライトされる）。
【００３０】他方、パーソナルコンピュータ本体のＨＤＤ（Ｃドライブ）に格納されているデータを小型メモリカード１７（Ｅドライブ）にコピーする場合も同様である。すなわち、パーソナルコンピュータ本体のＨＤＤのデータを読み出し、このデータをライトコマンドによって、ＰＣＩバスインターフェースブロツク１１と、第１カードインターフェースブロック１２と、変換ロジック１４とを介して、小型メモリカード１７に書き込むことになる。」
　
ｆ．「【００３７】（実施の形態３）以下、図３を参照しつつ本発明の実施の形態３にかかるＰＣＩＣ１０ｃを説明する。しかしながら、実施の形態３にかかるＰＣＩＣ１０ｃは、図２に示す実施の形態２にかかるＰＣＩＣ１０ｂと多くの共通点をもつので、説明の重複を避けるため、実施の形態２の場合と同様の部材ないしは要素には同一番号を付してその詳しい説明を省略し、以下では主として実施の形態２と異なる点を説明する。
【００３８】図３に示すように、実施の形態３にかかるＰＣＩＣ１０ｃでは、第１カードインターフェースブロック１２とセレクタ回路１９との間に、変換ロジック１４と並列にもう１つの変換ロジック回路２１（以下、単に「変換ロジック２１」という。）が設けられている。そして、このセレクタ回路１９にセレクト信号ＳＥＬを印加することにより、ＰＣカードインターフェースと、第１の小型メモリーカードインターフェースと、第２の小型メモリーカードインターフェースとを任意にセレクトすることができる。
【００３９】前記のとおり、小型メモリーカード１７は複数種あるので、パソコンメーカーないしはデバイスメーカーは、異種の小型メモリカード毎にＰＣＩＣを開発していたのでは、開発コストが増大してしまう。そこで、実施の形態３では、小型メモリーカードインターフェースを２種類設定し、いずれか一方を自由に選択できるようにしたものである。
　
ｇ．「【００５０】
【発明の効果】本発明の第１の態様にかかるメモリカードブリッジでは、アダプタカードを用いる必要がないので、ＰＣカード以外のメモリカードが小型メモリカードである場合、その小型であるといったメリットを十分に活用しつつ各種情報機器と小型メモリカードとを接続することができる。とくに、該メモリカードブリッジが、小型化が進んだノート型パーソナルコンピユータに対して用いられる場合は、小型メモリカードの小型であるといったメリットを十二分に生かすことができる。
【００５１】本発明の第１の態様にかかるメモリカードブリッジの場合、変換ロジック回路が設けられたデータ転送系統ではＰＣカードを使用することができず、これを使用するパソコンメーカーの製造ないしは設計の自由度が低下する恐れがある。しかしながら、本発明の第２の態様にかかるメモリカードブリッジでは、変換ロジック回路が設けられたデータ転送系統でもＰＣカードを使用することができるので、そのような恐れがない。
【００５２】一般に、小型メモリカードは種類が多く、かつそれぞれ固有のインターフェースをもっている。このため、メモリカードブリッジが１種類のインターフェースしかサポートできない場合は、パソコンメーカーないしはデバイスメーカーは、インターフェース毎にＬＳＩ等を開発しなければならなくなる。しかしながら、本発明の第３の態様にかかるメモリカードブリッジでは、ＰＣカード以外のメモリカードに対して、複数のインターフェースをサポートすることができるので、パソコンメーカーないしはデバイスメーカーは、インターフェース毎にＬＳＩを開発する必要がなくなり、その開発費を削減することができる。
【００５３】本発明の第２又は第３の態様にかかるメモリカードブリッジでは、メモリカード側の回路構成が、セレクタ回路等を設けたことにより複雑化する。しかしながら、本発明の第４の態様にかかるメモリカードブリッジでは、そのピン数は増えるものの、セレクタ回路を必要としないので、回路構成が複雑化しない。ただし、そのピン数に制限がないことが前提である。
【００５４】本発明の第１〜第４の態様にかかるメモリカードブリッジでは、情報機器側（ホスト側）からは、カードスロットにＰＣカードが挿入されているようにしかみえず、例えば小型メモリカードが使用されている場合でもそれを判別することができない。
【００５５】本発明の第６の態様にかかるメモリカードブリッジでは、ＰＣカード以外のメモリカードに対して、複数のインターフェースをサポートすることができるので、パソコンメーカーないしはデバイスメーカーは、インターフェース毎にＬＳＩ等を開発する必要がなくなり、その開発費を削減することができる。
【００５６】本発明の第７の態様にかかるメモリカードブリッジでは、ＰＣカード以外のメモリカードが小型メモリカードであるので、該メモリカードブリッジのコンパクト化効果が一層顕著となる。本発明の第８の態様にかかるメモリカードブリッジでは、本体側インターフェース部が設けられているので、該メモリカードブリッジと情報機器との接続が容易となる。
【００５７】本発明の第９の態様にかかるメモリカードブリッジでは、本体側インターフェース部がローカルバスを介して情報機器に接続されているので、該メモリカードブリッジと情報機器との接続が一層容易となる。本発明の第１０の態様にかかるメモリカードブリッジでは、変換ロジック回路等が、メモリカード側でメモリカードスロットに接続されているので、ＰＣカード以外のメモリカードの装着が容易となる。
【００５８】本発明の第１１の態様にかかるメモリカードブリッジでは、ＰＣカード用のメモリカードスロットと、ＰＣカード以外のメモリカード用のメモリカードスロットとを実装することができるので、マザーボードを共通化することができる。本発明の第１２の態様にかかるメモリカードブリッジでは、パーソナルコンピュータにＰＣカード以外のメモリカードを容易に装着することができる。」
　
　以上から、引用例１には次の発明（以下、「引用発明」という。）が記載されている。
　
「ＰＣカード用インターフェース部が設けられ、該ＰＣカード用インターフェース部を介して情報機器とメモリカードとの間でのデータ転送を中継するようになっているメモリカードブリッジであって、
　該メモリカードブリッジは、カード側が２スロツトのＰＣＩカードバスブリッジ（以下、「ＰＣＩＣ」という。）であり、
　ＰＣＩＣ１０ａには、ＰＣＩバスインターフェースブロツク１１と、それぞれＰＣＭＣＩＡ規格に準拠した第１及び第２の２つのカードインターフェースブロック１２、１３と、後で説明する変換ロジック１４と、さらに、小型メモリカードスロット１５とＰＣカードスロット１６とが設けられ、
　ＰＣＩインターフェースブロック１１は、本体側でパーソナルコンピュータのＰＣＩバス１８に接続され、カード側で両カードインターフェースブロック１２、１３に接続され、第１カードインターフェースブロック１２はカード側で変換ロジック回路１４（以下、単に「変換ロジック１４」という。）に接続され、変換ロジック１４はカード側で小型メモリカードスロット１５に接続され、第２カードインターフェースブロック１３は、カード側でＰＣカードスロット１６に接続されており、
　変換ロジック１４は、ＰＣＭＣＩＡ規格に準拠した第１カードインターフェースブロック１２を、所定の小型メモリカード１７に適合するインターフェースに変換する機能をもち、該変換ロジック１４中には、該小型メモリカードのカード情報を示す領域（ＣＩＳと呼ばれる）が含まれ、変換ロジック１４は、装着されるべき小型メモリカード１７の種類に応じた変換特性をもち、
　小型メモリカード１７が小型メモリカードスロット１５に装着されると、パーソナルコンピュータは、小型メモリカード１７が装着されたことを検出し、小型メモリカード１７のＣＩＳを読み出し、パーソナルコンピュータは、このカード情報により、どのような種類の小型メモリカード１７が装着されたかを認識し、小型メモリーカード１７を認識した場合、小型メモリカード１７はＡＴＡ仕様に準拠したハードディスクとして認識され、情報機器側からは、カードスロットにＰＣカードが挿入されているようにしかみえない、
　メモリカードブリッジ。」　
　
（１−２）当審が拒絶の理由に引用した特開平１０−２４０８７７号公報（平成１０年９月１１日出願公開。以下、「引用例２」という。）には、図面と共に次の各記載がある。
　
ｈ．「【０００７】
【課題を解決するための手段】本発明によるＩＣカードは、小型のＩＣカードを挿入可能なスロットと、カード属性情報を記憶したメモリと、挿入された小型のカードのメモリの種類及び容量に従って該カード属性情報を動的に変更するインターフェースとを有することを特徴とするものである。
【０００８】この構成によれば、挿入された小型のＩＣカードのメモリの種類及び容量に従ってＩＣカードのカード属性情報を変更するので、仕様の異なった多種類の小型のＩＣカードを共通のＩＣカードで使用することができる。好ましくは、前記カード属性情報を記憶したメモリの少なくとも一部はレジスタからなる。この場合、前記カード属性情報を記憶したメモリは、ＲＯＭレジスタとの混在で構成され、挿入された小型のＩＣカードのメモリの種類及び容量に従ってあるレジスタはデータ転送を行い、あるレジスタには論理演算後にデータ転送を行う。
【０００９】あるいは、前記カード属性情報を記憶したメモリをバンク切り換えできるようにする。この場合、前記カード属性情報を記憶したメモリは、複数のタイプのＣＩＳ情報を記憶した複数のＲＯＭを備え、挿入された小型のカードのメモリの種類及び容量に従って該複数のＲＯＭの一つを選択するのが好ましい。さらに、本発明によるＩＣカードは、内部空間を有する本体と、該本体の内部空間を閉じることのできる脱着可能な蓋と、該本体の内部空間に配置され、第１のコネクタを有する第１の回路基板とを備え、該第１のコネクタと接続可能な第２のコネクタ及びＩＣ部材を有する第２の回路基板からなるカバーなしのＩＣモジュールが該蓋を開いた状態で該第１の回路基板に取りつけられることができるようにしたことを特徴とする。
【００１０】この構成によれば、ＩＣモジュールは、カバーがない機能部材のみを含み、ＩＣカードの蓋がＩＣモジュールのカバーをも兼ねるようになっている。従って、ＩＣモジュールは、従来の小型のＩＣカードよりもコンパクトに製造されることができ、ＩＣカードの内部の容量を圧迫することなく、簡便に機能の追加や変更を行うことができる。
【００１１】好ましくは、該第１のコネクタは該第１の回路基板の平面に対して垂直に延びるコネクタピンを有する。さらに、本発明によるＩＣカードは、内部空間を有する本体と、該本体の内部空間を閉じることのできる脱着可能な蓋と、該本体の内部空間に配置され、第１のコネクタを有する第１の回路基板と、該第１のコネクタと接続可能な第２のコネクタ及びＩＣ部材を有する第２の回路基板で構成されて該蓋を開いた状態で該第１の回路基板に取りつけられることができるカバーなしのＩＣモジュールとを備えたことを特徴とする。
【００１２】この構成においても、ＩＣモジュールは、カバーがない機能部材のみを含み、ＩＣカードの蓋がＩＣモジュールのカバーをも兼ねるようになっている。従って、ＩＣモジュールは、従来の小型のＩＣカードよりもコンパクトに製造されることができ、ＩＣカードの内部の容量を圧迫することなく、簡便に機能の追加や変更を行うことができる。
【００１３】好ましくは、該第１のコネクタは該第１の回路基板の平面に対して垂直に延びるコネクタピンを有し、該第２のコネクタは該第２の回路基板の平面に対して垂直に延びる。」
　
ｉ．「【００１４】
【発明の実施の形態】図１は本発明によるＩＣカードを使用する基本システムを示す図である。ＩＣカード１０はコンピュータ１２のスロット１４に挿入できる標準的なＩＣカードである。さらに、ＩＣカード１０は小型のＩＣカード１６を挿入するスロット１８を有する。このように、標準的なＩＣカード１０と小型のＩＣカード１６とを組み合わせてコンピュータ１２で使用することにより、メモリ等の機能を大幅に増大したり、新しい機能を追加したりすることができる。
【００１５】コンピュータ１２のスロット１４に挿入できるＩＣカード１０はＪＥＩＤＡ（日本）やＰＣＭＣＩＡ（アメリカ）により規定されている。また、小型のＩＣカード１６は SanDisk Compact Flash、東芝SSFD、あるいはIntel 、シャープ、富士通が連合して提案しているミニチュアカードである。小型のＩＣカード１６はコンピュータ１２の既存のスロット１４に直接挿入できないので、小型のＩＣカード１６を使用する場合には、小型のＩＣカード１６をＩＣカード１０に取りつけてコンピュータ１２に接続する。
【００１６】図２から図４はＩＣカード１０の構成を簡略に示す図である。ＩＣカード１０は、コンピュータ１２のスロット１４内にあるコネクタ（図示せず）に接続されるコネクタ２０、及び小型のＩＣカード１６のコネクタ２２に接続されるコネクタ２４を有する。ＩＣカード１０は、回路基板２６に取りつけられたＩＣ部材（半導体チップ）２８を有する。ＩＣ部材２８はメモリその他の所望の機能を達成するものである。さらに、ＩＣカード１０は、ＩＣ部材２８、及びスロット１８に挿入された小型のＩＣカード１６のＩＣ部材をコンピュータ１２に接続するためのインターフェース（ＩＦ）３０を有する。
【００１７】このインターフェース３０は、ＩＣ部材２８及び小型のＩＣカード１６のＩＣ部材をコンピュータ１２に接続するだけでなく、小型のＩＣカード１６の種類にかかわらず、小型のＩＣカード１６をＩＣカード１０のカード属性情報に従って使用できるようにするために、挿入された小型のカード１６のメモリの種類及び容量に従ってＩＣカード１０のカード属性情報を動的に変更する手段を備えている。
【００１８】図５はカード属性情報を動的に変更する手段の一例を示す図であり、図６はこの手段を達成するためのフローチャートである。図５において、ＩＣカード１０は、カード属性情報（ＣＩＳ）を記憶したメモリ３２と、複数のＲＯＭ３４ａ〜３４ｎ、あるいはブロック毎に分割された一つのＲＯＭとを含む。これらのＲＯＭ３４ａ〜３４ｎはカード属性情報を動的に変更する手段の一部を構成する。ＲＯＭ３４ａ〜３４ｎには、メモリ３２に記憶されたカード属性情報の全項目のうちの幾つかの項目について、異なった組み合わせで情報が収められている。
【００１９】小型のＩＣカード１６はカード属性情報（ＡＩＳ）を記憶したメモリ３６を含む。カード属性情報（ＡＩＳ）のなかには、メモリタイプ（Memory Type ）、製造者ＩＤ（JEDEC Manufacturer ID ）、コンポネントＩＤ（JEDEC Componet ID）、メモリサイズ（Memory Size ）、アクセスタイム（Access time ）等の項目がある。図示の小型のＩＣカード１６のカード属性情報（ＡＩＳ）は、Miniature Card Specification Release 1.1 '96 Julに規定されているものである。
【００２０】ＲＯＭ３４ａ〜３４ｎに記憶された情報は、小型のＩＣカード１６のカード属性情報（ＡＩＳ）からＩＣカード１０のカード属性情報（ＣＩＳ）として得られるデバイス種類、デバイス速度、デバイス容量等の組み合わせである。例えば、ＲＯＭ３４ａはデバイス種類のａ値、デバイス速度のａ値、デバイス容量ａ値等を記憶し、ＲＯＭ３４ｂはデバイス種類のｂ値、デバイス速度のｂ値、デバイス容量ｂ値等を記憶している。
【００２１】ＩＣカード１０のカード属性情報を動的に変更する手段は、さらに比較手段３８及びアドレス変換手段４０を含む。図６の作動は、小型のＩＣカード１６を含むＩＣカード１０をコンピュータ１２のスロット１４に挿入し、電源投入のリセットシーケンスで実施される。電源投入すると、コンピュータ１２は小型のＩＣカード１６のカード属性情報（ＡＩＳ）を読む。ステップ４０において、ＲＯＭ３４ａ〜３４ｎの番号あるいはブロック番号を１にセットする。そこで、ステップ４１から４５にかけて、ＲＯＭ３４ａの各項目と小型のＩＣカード１６のカード属性情報（ＡＩＳ）の各項目とが比較される（図５の比較手段）。図示の例においては、メモリタイプ（Memory Type ）、製造者ＩＤ（JEDEC Manufacturer ID ）、コンポネントＩＤ（JEDEC Componet ID ）、メモリサイズ（Memory Size ）、アクセスタイム（Access time）について、両者の比較を行う。比較の結果、１つでも対応しないものがあれば、ステップ４７へ進んでＲＯＭの番号が最後かどうかを判断し、ノーであればステップ４８へ進んでＲＯＭの番号を１だけ増加し、さらに、ステップ４１から４５にかけて、ＲＯＭ３４ｂについて同様の比較を行う。この動作は、ステップ４５の結果がイエスになるまで続けられる。また、ステップ４７の結果がイエスになれば、ステップ４９に進んで処理を終了する。
【００２２】ステップ４５の結果がイエスになると、挿入した小型のＩＣカード１６に適合したＲＯＭが選択されたことになり、このＲＯＭの内容は、ＩＣカード１０のカード属性情報（ＣＩＳ）を記憶したメモリ３２の対応する部分に置き換えられ（図５のアドレス変換手段４０）、ステップ４６において、ＣＩＳ情報としてコンピュータ１２に出力される。このようにして、ＩＣカード１０のカード属性情報が動的に変更される。そして、この例においては、ＲＯＭ３４ａ〜３４ｎをバンク切り換えすることによって実施される。」
　
ｊ．「【００２３】図７及び図８はカード属性情報を動的に変更する手段の他の例を示す図である。この例においては、前の例と同様に、ＩＣカード１０はカード属性情報（ＣＩＳ）を記憶したメモリ３２を含み、小型のＩＣカード１６はカード属性情報（ＡＩＳ）を記憶したメモリ３６を含む。ＩＣカード１０のカード属性情報を動的に変更する手段は、メモリタイプ変換演算手段５０、アクセスタイム演算手段５１、メモリサイズ変換演算手段５２を含み、図５のＲＯＭ３４ａ〜３４ｎがない代わりに、直接演算することによって、レジスタ５４ａ〜５４ｅに記憶されるようになっている。
【００２４】図８において、ステップ６０において、含むＩＣカード１０をコンピュータ１２のスロット１４に挿入し、電源投入のリセットシーケンスで実施される。電源すると、コンピュータ１２は小型のＩＣカード１６のカード属性情報（ＡＩＳ）を読む。ステップ６０において、製造者（JEDEC Manufacturer）をレジスタ５４ａにセットする。ステップ６１において、コンポネント（JEDEC Componet）をレジスタ５４ｂにセットする。
【００２５】ステップ６２において、メモリタイプ（Memory Type ）をメモリタイプ変換演算手段５０で演算し、結果をレジスタ５４ｃにセットする。メモリタイプは例えば１から順番に番号を付けてあり、小型のＩＣカード１６のカード属性情報（ＡＩＳ）の番号をＩＣカード１０のカード属性情報（ＣＩＳ）の番号に入れ換える。ステップ６３において、メモリサイズ（Memory Size ）をメモリサイズ変換演算手段５２で演算し、結果をレジスタ５４ｄにセットする。ステップ６４において、アクセスタイム（Access time ）をアクセスタイム演算手段５１で演算し、結果をレジスタ５４ｅにセットする。アクセスタイムは小型のＩＣカード１６のカード属性情報（ＡＩＳ）において電圧（３．３Ｖ、５．０Ｖ、ｘ．ｘＶ）のなかから選択されることができるようになっている。
【００２６】こうして、レジスタ５４ａ〜５４ｅに書き込まれた内容は、ＩＣカード１０のカード属性情報（ＣＩＳ）を記憶したメモリ３２の対応する部分に置き換えられ、ステップ６５において、ＣＩＳ情報としてコンピュータ１２に出力される。このようにして、ＩＣカード１０のカード属性情報が動的に変更される。この方法によれば、プログラムを変更するだけで、ＲＯＭ３４ａ〜３４ｎを準備する必要がない。
【００２７】以上の説明においては、コンピュータ１２に挿入されるＩＣカード１０はＰＣカードを例にして説明した。しかし、本発明はＰＣカードに限定されるものではなく、ＰＣカードと同様の外観及びスロット１８をもち、コンピュータ１２に挿入される全てのＩＣカード１０を含むものである。図９から図１１は、ＩＣカード１０として、ＰＣカード型パソコンの例を示す。ＰＣカード型パソコン１０は折り畳み可能な２つの部分１０ａ、１０ｂからなり、一方に表示部１０ｃを有し、他方にキー１０ｄを有する。このＰＣカード型パソコン１０は折り畳んだときにＰＣカードと同じ外観になり、且つ小型のＩＣカード１６を挿入するスロット１８を有し、且つコンピュータ１２のスロット１４（図１）に挿入でき、挿入したときにコンピュータ１２のコネクタと接続されるコネクタ２０を有し、図２に示したインターフェース回路３０を備えている。従って、ＰＣカード型パソコン１０は、その主機能が前に説明したＰＣカードのメモリ機能と異なるだけであり、本発明に係わる特徴は全て備えている。
【００２８】図９においては、ＩＣカード１０のスロット１８はキー１０ｄを有する部分１０ａに設けられる。図１０においては、ＩＣカード１０のスロット１８は表示部１０ｃを有する部分１０ｂの端面に設けられる。図１１においては、ＩＣカード１０のスロット１８は表示部１０ｃを有する部分１０ｂの側面に設けられる。図１２及び図１３は、ＩＣカード１０がモデムの例を示す。モデム１０は通信線６８が接続されている。このモデム１０は前に説明したＰＣカードと同じ外観を有し、且つインターフェース回路３０を備えている。図１２においては、ＩＣカード１０のスロット１８はＩＣカード１０の上面にある。図１３においては、ＩＣカード１０のスロット１８はＩＣカード１０の側面にある。」
　
（２）対比
　本願補正発明と引用発明を対比する。
（２−１）引用発明のメモリーカードブリッジは、ＰＣＩバスインターフェースブロック、カードインターフェースブロック、変換ロジックを有し、小型メモリカードが装着されても、パーソナルコンピュータに対してＰＣカードが挿入されているようにみせるものであるから、本願補正発明の「カードコントローラ」に相当する機能を有し、ＰＣカード以外のカードを接続し使用可能とするために、インターフェースロジック部に相当する構成を備えていることは明らかである。また、引用発明において小型メモリカードが装着されるのは、ＰＣＩバス側を１次側とすると２次側といえる。
（２−２）引用発明の変換ロジックの有する「小型メモリカードのカード情報を示す領域（ＣＩＳと呼ばれる）」は、本願補正発明の「カード情報部」に相当する。
（２−３）引用発明において、小型メモリカードが装着されると、パーソナルコンピュータが、装着されたことを検出し、その後、パーソナルコンピュータからはＰＣカードが挿入されているようにしかみえないのだから、引用発明は、「ＰＣカード以外のカード」「が接続された場合に、外部のプロセッサに対しＰＣカードが接続されたと見なさしめる」構成を有しているといえる。
（２−４）引用発明において、パーソナルコンピュータ（システム）は、小型メモリカード１７が装着されたことを検出し、小型メモリカード１７のＣＩＳを読み出しているから、引用発明は、本願補正発明の、「外部のプロセッサが上記のＰＣカード以外のカードとデータの入出力を行なう際に、」「上記外部のプロセッサが」「接続されたカードの情報として、上記のカード情報部に記録されるデータを、上記の外部のプロセッサに読み出させる」構成を有しているといえる。
　
　以上から、引用発明と本願補正発明には次の一致点、相違点がある。
（一致点）
　「２次側にて、ＰＣカード以外のカードを接続し使用可能とするために、そのインタフェースロジック部と、そのカード情報部とを内蔵し、
　ＰＣカード以外のカードがカードスロットに接続された場合に、外部のプロセッサに対しＰＣカードが接続されたとみなさしめ、
　上記外部のプロセッサが上記のＰＣカード以外のカードとデータの入出力を行なう際に、接続されたカードの情報として、上記のカード情報部に記録されるデータを、上記の外部のプロセッサに読み出させる、カードコントローラ。」
　である点で一致し、次の各点で両発明は相違する。
　
（相違点１）
　本願補正発明では、カード情報部に格納する初期データを、外部からのリセット時に外部に設定されたメモリ部から取り込んでおり、該メモリ部は、上記ＰＣカード以外のカードとも上記アダプタカードとも異なるものであるのに対して、引用発明の変換ロジック１４中の小型メモリカードのカード情報を示す領域（ＣＩＳと呼ばれる）の情報はどのように格納されるのか記載されておらず上記メモリ部の構成も有していない点。
　
（相違点２）
　本願補正発明では、ＰＣカード以外のカード、若しくはそのカードが挿入されたアダプタカードがカードスロットに接続された場合に、外部のプロセッサに対しＰＣカードが接続されたと見なさしめるために、１６ビットＰＣカードが接続されたという事象を示すレジスタ・ビットがセットされるのに対して、引用発明において、小型メモリカードが装着されると、パーソナルコンピュータは小型メモリカード１７が装着されたことを検出しているが、１６ビットＰＣカードが接続されたという事象を示すレジスタ・ビットをセットすることは記載されていない点。
　
（相違点３）
　本願補正発明では、外部のプロセッサが、１６ビットＰＣカードが接続されたという事象を示すレジスタ・ビットがセットされたことを、検知したならば、上記メモリ部から上記のカード情報部への初期データのインプリメントが完了してから、接続されたカードの情報として、上記のカード情報部に記録されるデータを、上記の外部のプロセッサに読み出させるのに対して、引用発明は、小型メモリカード１７が小型メモリカードスロット１５に装着されたことを検出して、パーソナルコンピュータは、変換ロジック回路からＣＩＳ情報を読み出しているが、レジスタ・ビットがセットされ、初期データのインプリメントが完了してからカード情報部に記録されるデータを外部のプロセッサに読み出させているかどうかが明らかではない点。
　
（３）判断
（相違点１）について
　上記、「３．（１−２）ｉ」及び「「３．（１−２）ｊ」に摘記した引用例２の段落【００２１】【００２２】【００２４】【００２５】【００２６】によれば、リセット時にＣＩＳ情報を書き換えることが記載されている。そして引用例２にはＣＩＳを書き換える方法としてＲＯＭ３４ａ〜３４ｎを使う方法も記載されているから、カード情報部に格納するデータをメモリ部から取りこむことが示唆されている。また引用例２においてＲＯＭ３４ａ〜３４ｎはアダプタに相当するＩＣカード１０に設けられているが、メモリを外部に設ければメモリに記憶した情報を変更しやすいことは自明である。よって、引用例２に記載の技術を引用発明に適用し、引用発明の変換ロジック１４中の小型メモリカードのカード情報を示す領域（ＣＩＳと呼ばれる）の情報を、外部からのリセット時に外部に設定されたメモリ部から取り込むようにし、相違点１のようにすることは当業者が容易に想到し得ることである。
　
（相違点２）について
　引用発明は、小型メモリカード１７が小型メモリカードスロット１５に装着されると、パーソナルコンピュータ（システム）は、小型メモリカード１７が装着されたことを検出し、小型メモリカード１７のＣＩＳを読み出し、パーソナルコンピュータは、このカード情報により、どのような種類の小型メモリカード１７が装着されたかを認識するものである。引用発明は、カードの装着を検出したことを契機に次の動作を行わせている。また、引用発明は、情報機器側からは、カードスロットにＰＣカードが挿入されているようにしかみえないように動作するものである。そして、レジスタを用い、該レジスタのビットをセットすることにより状態を示すことは一般的な技術である。よって、引用発明から、ＰＣカード以外のカードのカードスロットへの装着を契機にして、１６ビットＰＣカードが装着されたと示すためにレジスタのビットをセットすることは当業者が容易に想到し得ることである。
　また、ＰＣカード以外のカードが挿入されたアダプタカードをカードスロットに挿入できるようにすることも適宜に実施し得る程度のことであるから、アダプタカードがカードスロットに接続された場合にも１６ビットＰＣカードが接続されたことを示すレジスタ・ビットをセットすることは当業者が容易に想到し得ることである。
　
（相違点３）について
　レジスタ・ビットのセットについては前記（相違点２）について検討したとおりである。
　また、引用例２の段落００２２、００２６に記載のとおり、引用例２ではＣＩＳ情報を変更した後に、ＣＩＳ情報がパーソナルコンピュータに出力されていることから、引用例２においてもカード情報部へのインプリメントが完了してから、カード情報部に記録されるデータを、外部のプロセッサに読み出させている。このときにＣＩＳ情報は、小型のＩＣカードがスロットに装着された後のリセット動作により変更されるから、変更された情報は初期データといえる。よって、引用例２に記載された技術を引用発明に適用して、相違点３のようにすることは当業者が容易に想到し得ることである。
　
　そして、本願補正発明の奏する効果は、引用発明、引用例２記載の技術及び周知技術の奏する効果から予測される範囲内のものにすぎず、格別顕著なものということはできない。
　よって、本願補正発明は、引用発明、引用例２記載の技術及び周知技術に基づいて当業者が容易に発明をすることができたものである。
　
（４）まとめ
　以上のとおり、本願補正発明（請求項１に係る発明）は、引用発明、引用例２記載の技術及び周知技術に基づいて当業者が容易に発明をすることができたものであるから、特許法第２９条第２項の規定により特許出願の際独立して特許を受けることができないものである。
　
４．むすび
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１．本願発明
　平成２２年８月２日付けの手続補正は上記のとおり却下されたので、本願の請求項１に係る発明（以下、「本願発明」という。）は、平成１９年１１月１２日付け手続補正書の特許請求の範囲１に記載された事項により特定される、以下のとおりのものである。
　
「【請求項１】
　２次側にて、ＰＣカード以外のカードを接続し使用可能とするために、そのインタフェースロジック部と、そのカード情報部とを内蔵し、
　上記カード情報部に格納する初期データを、外部に設定されたメモリ部から取り込むカードコントローラであって、
　ＰＣカード以外のカード、若しくはそのカードが挿入されたアダプタカードが接続された場合に、外部のプロセッサに対しＰＣカードが接続されたと見なさしめるために、１６ビットＰＣカードが接続されたという事象を示すレジスタ・ビットがセットされ、
　上記外部のプロセッサが上記のＰＣカード以外のカードとデータの入出力を行なう際に、上記外部のプロセッサが、１６ビットＰＣカードが接続されたという事象を示すレジス
タ・ビットがセットされたことを、検知したならば、接続されたカードの情報として、上記のカード情報部に記録されるデータを、上記の外部のプロセッサに読み出させる、カードコントローラ。」
　
２．引用刊行物
　当審が拒絶の理由に引用した引用刊行物は、前記「第２　３．（１）」に記載したとおりである。
　
３．対比・判断
　本願発明は、前記「第２」で検討した本願補正発明から、「外部に設定されたメモリ部から」を「外部からのリセット時に外部に設定されたメモリ部から」と限定し、「メモリ部」に関して、「上記メモリ部は、上記ＰＣカード以外のカードとも上記アダプタカードとも異なるものであり、」と限定し、「上記外部のプロセッサが、１６ビットＰＣカードが接続されたという事象を示すレジスタ・ビットがセットされたことを、検知したならば、接続されたカードの情報として、上記のカード情報部に記録されるデータを、上記の外部のプロセッサに読み出させる」を、「上記外部のプロセッサが、１６ビットＰＣカードが接続されたという事象を示すレジスタ・ビットがセットされたことを、検知したならば、上記メモリ部から上記のカード情報部への初期データのインプリメントが完了してから、接続されたカードの情報として、上記のカード情報部に記録されるデータを、上記の外部のプロセッサに読み出させる」と限定する構成を削除したものである。　
　そうすると、本願発明の構成要件をすべて含みさらに限定したものに相当する本願補正発明が、前記「第２　３．」に記載したとおり、引用発明、引用例２記載の技術及び周知技術に基づいて当業者が容易に発明をすることができたものであるから、本願発明も、同様の理由により、引用発明、引用例２記載の技術及び周知技術に基づいて当業者が容易に発明をすることができたものである。
　
４．むすび
　以上のとおり、本願発明は、引用発明、引用例２記載の技術及び周知技術に基づいて当業者が容易に発明をすることができたものである。
　したがって、本願はその余の請求項について論及するまでもなく、特許法第２９条第２項の規定により特許を受けることができない。
　
　よって、結論のとおり審決する。